(57)【要約】【課題】  簡単な構成でかつ低コストに構成することができるリユース可能天井構造を提供する。【解決手段】  それぞれ吊りボルト２に野縁受け４を介して取付けられた複数本の平行な軽鉄製の野縁６と、断面逆Ｔ字状に形成され前記各野縁の下方に沿って位置する天井面材受けバー８とを備える。この天井面材受けバー８における立片８ａの長手方向複数箇所にそれぞれ取付けられ前記野縁６を両側から弾性的に開閉可能に抱き込んでこの野縁６に取付けられる略リップ溝形の固定金物７と、両側縁がそれぞれ隣合う前記天井面材受けバー８と野縁６の間に差し込まれて前記天井面材受けバー８に支持される天井面材９とを備える。この固定金物７および天井面材受けバー８の組合せに代え、野縁６の下面に直接ビス止めされる平板状の天井面材受けバー８、あるいは４本のアングル材１４Ａ，１４Ｂ，１４Ｃ，１４Ｄを横向きＨ字状に組み合わせて野縁６の下面に直接ビス止めされる平板状の天井面材受けバー１４を用いることもできる。【選択図】        図１
2007284891.tif 000002
【特許請求の範囲】
【請求項１】
それぞれ吊りボルトに野縁受けを介して取付けられた複数本の平行な軽鉄製の野縁と、断面逆Ｔ字状に形成され前記各野縁の下方に沿って位置する天井面材受けバーと、この天井面材受けバーにおける立片の長手方向複数箇所にそれぞれ取付けられ前記野縁を両側から弾性的に開閉可能に抱き込んでこの野縁に取付けられる略リップ溝形の固定金物と、両側縁がそれぞれ隣合う前記天井面材受けバーと野縁の間に差し込まれて前記天井面材受けバーに支持される天井面材とを備えたリユース可能天井構造。
【請求項２】
請求項１において、前記天井面材受けバーは、背を向き合って互いに逆Ｔ字状を成す２本のアングル材からなり、両アングル材は、互いに重なる立フランジの部分で締結具により互いに固定されたものとしたリユース可能天井構造。
【請求項３】
それぞれ吊りボルトに野縁受けを介して取付けられた複数本の平行な軽鉄製の野縁と、各野縁の下面に沿って配置されて両側へ張り出す幅寸法の平板状とされ長手方向の複数箇所で野縁の下面に固着具で固定された天井面材受けバーと、隣合う天井面材受けバーの野縁からの張出部分に両側縁がそれぞれ載せられた天井面材とを備えたリユース可能天井構造。
【請求項４】
それぞれ吊りボルトに野縁受けを介して取付けられた複数本の平行な軽鉄製の野縁と、断面が横向きＨ字状を成し野縁に沿って配置されて上フランジが野縁の下面にビス止めされた天井面材受けバーと、隣合う天井面材受けバーの上フランジと下フランジ間に両側縁が差し込まれて下フランジに支持される天井面材とを備え、前記天井面材受けバーは、背を向き合って互いにＴ字状を成す上側２本のアングル材、および背を向き合って互いに逆Ｔ字状を成す下側２本のアングル材の合計４本のアングル材が、それぞれ立フランジが重なるように横向きＨ字状に組み合わせられ前記立フランジの重なり箇所で締結具により結合されたものであるリユース可能天井構造。
【発明の詳細な説明】
【技術分野】
【０００１】
この発明は、天井構造に関し、さらに詳しくは、構造が簡単で、解体がし易く天井面材のリユースが可能な天井構造に関する。
【背景技術】
【０００２】
従来、一般的な軽鉄下地の天井は、天井梁や天井躯体から吊りボルトを垂下し、この吊りボルトにハンガー、さらには野縁受け等を介して軽鉄製野縁を支持して天井下地を形成し、この天井下地に天井面材をビス止めすることにより構成していた。このような天井構造においては、天井面材がビス止めされているので、解体の際は時間を要する。また、天井面材および下地材に多くのビス孔が形成されることになるから、解体後これらをリユース、つまり再利用することが困難であった。特許文献１および特許文献２には、天井面材がリユース可能な天井構造が開示されている。
【特許文献１】特開２０００−９６７６２号公報
【特許文献２】特開２０００−９６７６３号公報
【発明の開示】
【発明が解決しようとする課題】
【０００３】
上記各特許文献に開示された天井構造は、天井面材がビス止めによることなく取付けられるから、現場施工が簡単である上に、解体作業が簡素化され、さらに解体後の天井面材のリユースが可能とされるから、省資源化に大きく寄与するものである。しかし、野縁受けおよび野縁による一般的な天井構造に適用されるものではなく、このような一般的な天井構造において、より簡易なリユース可能天井構造も望まれるところであった。
【０００４】
この発明の目的は、簡単な構成でかつ低コストに構成することができるリユース可能天井構造を提供することである。
【課題を解決するための手段】
【０００５】
この発明の第１の発明に係るリユース可能天井構造は、それぞれ吊りボルトに野縁受けを介して取付けられた複数本の平行な軽鉄製の野縁と、断面逆Ｔ字状に形成され前記各野縁の下方に沿って位置する天井面材受けバーと、この天井面材受けバーにおける立片の長手方向複数箇所にそれぞれ取付けられ前記野縁を両側から弾性的に開閉可能に抱き込んでこの野縁に取付けられる略リップ溝形の固定金物と、両側縁がそれぞれ隣合う前記天井面材受けバーと野縁の間に差し込まれて前記天井面材受けバーに支持される天井面材とを備えることを特徴とする。
【０００６】
この構成によると、断面逆Ｔ字状に形成された天井面材受けバーは、その立片の長手方向複数箇所にそれぞれ取付けられる略リップ溝形の固定金物を、野縁を両側から弾性的に開閉可能に抱きこんでこの野縁に取付けることにより、野縁に支持される。このため、天井面材受けバーの野縁に対する支持固定はビス等を用いず簡易になされる。また、天井面材は、天井面材受けバーの下片と野縁との間にその側縁を差し込むことによって天井面材受けバーに支持されるから、天井面材の支持固定も簡易になされると共に、ビス止めを不要とする。したがって、天井構造の低コスト化が図られると共に天井解体が簡単に成し得、また、野縁、天井面材受けバーおよび天井面材には、ビス孔が形成されないから、解体後のこれらのリユースが可能で、省資源化に大きく寄与する。
【０００７】
この発明において、前記天井面材受けバーは、背を向き合って互いに逆Ｔ字状を成す２本のアングル材からなり、両アングル材は、互いに重なる立フランジの部分で締結具により互いに固定されたものとしても良い。この構成によれば、天井面材受けバーを、市販された入手し易いアングル材で構成することができ、一層の低コスト化が図られる。
【０００８】
この発明の第２の発明に係るリユース可能天井構造は、それぞれ吊りボルトに野縁受けを介して取付けられた複数本の平行な軽鉄製の野縁と、各野縁の下面に沿って配置されて両側へ張り出す幅寸法の平板状とされ長手方向の複数箇所で野縁の下面に固着具で固定された天井面材受けバーと、隣合う天井面材受けバーの野縁からの張出部分に両側縁がそれぞれ載せられた天井面材とを備えることを特徴とする。
この構成によれば、天井面材受けバーは、野縁の両側へ張り出す幅寸法の平板状体からなるから、平帯状板材をそのまま充当させることができ、低コストで天井構造を構成することができる。また、天井面材は、その側縁部を天井面材受けバーの野縁からの張出部分に載せることによって取付が成され、ビス止めを行わないから、現場施工および解体が簡易であり、解体後のリユースも可能となる。
【０００９】
この発明の第３の発明に係るリユース可能天井構造は、それぞれ吊りボルトに野縁受けを介して取付けられた複数本の平行な軽鉄製の野縁と、断面が横向きＨ字状を成し野縁に沿って配置されて上フランジが野縁の下面にビス止めされた天井面材受けバーと、隣合う天井面材受けバーの上フランジと下フランジ間に両側縁が差し込まれて下フランジに支持される天井面材とを備え、前記天井面材受けバーは、背を向き合って互いにＴ字状を成す上側２本のアングル材、および背を向き合って互いに逆Ｔ字状を成す下側２本のアングル材の合計４本のアングル材が、それぞれ立フランジが重なるように横向きＨ字状に組み合わせられ前記立フランジの重なり箇所で締結具により結合されたものであることを特徴とする。
【００１０】
この構成によれば、天井面材受けバーは、４本のアングル材を組合せ締結一体として横向きＨ字状に構成されるものであるから、ここでも市販された入手し易いアングル材を用いることができ、低コスト化が図られる。また、天井面材はその側縁部が天井面材受けバーの上フランジと下フランジとの間に差し込まれて下フランジに支持されるものであるから、ビス止めが不要とされ、解体が容易でかつ解体後の天井面材のリユースも可能とされる。
【発明の効果】
【００１１】
この発明の第１の発明に係るリユース可能天井構造は、それぞれ吊りボルトに野縁受けを介して取付けられた複数本の平行な軽鉄製の野縁と、断面逆Ｔ字状に形成され前記各野縁の下方に沿って位置する天井面材受けバーと、この天井面材受けバーにおける立片の長手方向複数箇所にそれぞれ取付けられ前記野縁を両側から弾性的に開閉可能に抱き込んでこの野縁に取付けられる略リップ溝形の固定金物と、両側縁がそれぞれ隣合う前記天井面材受けバーと野縁の間に差し込まれて前記天井面材受けバーに支持される天井面材とを備えたものとしたため、野縁受けおよび野縁によって構成される一般的な天井構造において、現場施工が簡易で、解体も容易となり、加えて、解体後のリユースも可能な天井構造を低コストで実現することが出来る。
【００１２】
この発明の第２の発明に係るリユース可能天井構造は、それぞれ吊りボルトに野縁受けを介して取付けられた複数本の平行な軽鉄製の野縁と、各野縁の下面に沿って配置されて両側へ張り出す幅寸法の平板状とされ長手方向の複数箇所で野縁の下面に固着具で固定された天井面材受けバーと、隣合う天井面材受けバーの野縁からの張出部分に両側縁がそれぞれ載せられた天井面材とを備えたものとしたため、上記効果に加え、解体容易性に一層優れ、部品点数が少く低コスト化が図られたリユース可能天井構造が実現される。
【００１３】
この発明の第３の発明に係るリユース可能天井構造は、それぞれ吊りボルトに野縁受けを介して取付けられた複数本の平行な軽鉄製の野縁と、断面が横向きＨ字状を成し野縁に沿って配置されて上フランジが野縁の下面にビス止めされた天井面材受けバーと、隣合う天井面材受けバーの上フランジと下フランジ間に両側縁が差し込まれて下フランジに支持される天井面材とを備え、前記天井面材受けバーは、背を向き合って互いにＴ字状を成す上側２本のアングル材、および背を向き合って互いに逆Ｔ字状を成す下側２本のアングル材の合計４本のアングル材が、それぞれ立フランジが重なるように横向きＨ字状に組み合わせられ前記立フランジの重なり箇所で締結具により結合されたものとしたため、市販のアングル材の使用により低コスト化が図られると共に、横向きＨ字状の天井面材受けバーによる天井面材の優れた支持安定性が付加される。
【発明を実施するための最良の形態】
【００１４】
この発明の第１の実施形態を図１ないし図３と共に説明する。図１はこの実施形態のリユース可能天井構造の縦断面図であり、図２は図１におけるII−II線断面図である。
図において、鉄筋コンクリートスラブ等の天井躯体、天井梁、あるいは吊りボルト受け等の取付基体１の下面から、複数本の吊りボルト２が垂下される。この吊りボルト２の下部に、ハンガー３がダブルナット２ａによって上下位置調整自在に取付けられている。ハンガー３の下端には上向きフック状の受部３ａが屈曲形成され、リップ溝形の軽鉄等からなる野縁受け４が、この受部３ａに支持され隣合うハンガー３間に水平に架設されている。野縁受け４の長手方向適所には、複数のクリップ５が掛止され、さらに、このクリップ５によって、複数本の野縁６が平行に取付支持されている。
【００１５】
上記クリップ５は、上端が側面形状かぎ形のフック部５ａと、このフック部５ａの立板部分の下部に切欠形成された正面形状逆Ｔ字形係止部５ｂとを備える。また、野縁６は軽鉄製の略リップ溝形チャネル材からなる。クリップ５は、係止部５ｂを野縁６の上向き開口部６ａより溝内に挿入し、係止部５ｂを野縁６の長手方向に直交するよう向きを変えてこの開口部６ａの両側のリップ部６ｂに下から係止させ、かつフック部５ａを野縁受け４に掛止させることによって野縁６を水平状態に支持する。図１では、縦横に互いに直交するよう野縁６を組枠構成した例を示しているが、同方向に平行関係の野縁６のみで構成しても良い。
【００１６】
上記野縁６の下方に沿って固定金物７を介して天井面材受けバー８が取付けられる。天井面材９は、隣合う天井面材受けバー８と野縁６との間に両側縁を差し込むことによって天井面材受けバー８に支持される。この天井面材受けバー８の取付構造および天井面材９の支持構造を図３（Ａ），（Ｂ）を参照して説明する。固定金物７は、野縁６を両側から弾性的に開閉可能に抱きこんでこの野縁６に取付けられる略リップ溝形の本体部７ａと、この本体部７ａの下面略中央が垂下した取付片７ｂとよりなる。また、天井面材受けバー８は、断面が逆Ｔ字状に形成され、この逆Ｔ字形状の立片８ａに、その長手方向複数箇所において、固定金物７が取付片７ｂにより締結具であるボルト・ナット１０の締結によって取付けられる。
【００１７】
固定金物７の本体部７ａは、底辺部７ａａと、この底辺部７ａａの両端に弾性変形を伴い開閉可能に連続する両側辺部７ａｂと、両側辺部７ａｂの上端に内向きに屈曲形成されたリップ部７ａｃとより構成される。天井面材受けバー８は、この固定金物７を介して野縁６の下方に取付けられる。すなわち、天井面材受けバー８の長手方向複数箇所に、ボルト・ナット１０からなる締結具の締結によって固定金物７を取付た上で、図３（Ａ）に示すように、固定金物７の両側辺部７ａｂを押し開き、野縁６の両側辺部外面に沿わせるようにして本体部７ａを押上げる。これにより、図３（Ｂ）に示すように、リップ部７ａｃにより野縁６のリップ部６ｂを弾性的に抱き込んで固定金物７が野縁６に取付けられる。この取付を全ての固定金物７において行うことにより、天井面材受けバー８が各野縁６の下方に沿って垂下された状態で取付固定される。上記底辺部７ａａは、両側辺部７ａｂを上方に弾性的に開くよう押上げて野縁に取付る際、その復元弾力によって上記抱え込みが的確になし得るよう、両側部に向かい下側に湾曲した形状とされている。
【００１８】
この構成のリユース可能天井構造によると、上記のように各野縁６に天井面材受けバー８が取付られた状態で、隣合う天井面材受けバー８の水平下片部８ｂと野縁６との間に両側縁を差し込むことによって天井面材９が天井面材受けバー８に支持される。したがってビス等の止具を用いることなく、天井面材９を取付けることができ、また、天井面材受けバー８の取付も固定金物７のワンタッチ操作でなされるから、現場での天井施工が簡単で、解体も容易になされる上に、解体後の野縁６や天井面材９のリユースが可能となる。
【００１９】
図４に示す実施形態は、上記実施形態における天井面材受けバー８の変形例を示すものである。この実施形態の天井面材受けバー８は、背を向き合って互いの組み合わせ形状が逆Ｔ字状を成す２本のアングル材８Ａ，８Ｂからなる。両アングル材８Ａ，８Ｂは、互いに重なる立フランジの部分８Ａａ，８Ｂａで、締結具であるボルト・ナット１１により固定されたものとされている。図示の例では、固定金物７の取付片７ｂが立フランジ部分８Ａａ，８Ｂａに重ねられ、これら三者がボルト・ナット１１により締結一体とされている。天井面材９は、各アングル材８Ａ，８Ｂの下フランジ部分８Ａｂ，８Ｂｂと、野縁６との間に差し込まれてこの下フランジ部分８Ａｂ，８Ｂｂに支持される。固定金物７の構成は上記と同様であり、したがって、この固定金物７を介した天井面材受けバー８の野縁６に対する取付の要領および天井面材９の支持要領は上記と同様であるので、共通部分に同一の符号を付し、その説明を省略する。
【００２０】
この実施形態では、天井面材受けバー８が２本のアングル材８Ａ，８Ｂからなるから、新たな加工を要することなく、市販のアングル材をそのまま用いることができ、材料コストの低減化を図ることができる。現場での天井施工の簡単性、解体の容易性、および解体後の野縁６や天井面材９のリユースが可能となる点等は、上記実施形態と同様である。
【００２１】
図５は、第２の発明に係るリユース可能天井構造の一実施形態を示す。この実施形態は、上記のような固定金物７を用いず、上記同様の各野縁６の下面に沿って配置されて両側へ張り出す幅寸法の平板状の天井面材受けバー１２を、長手方向の複数箇所で野縁６の下面に固着具であるタッピングネジ１３で固定し、この隣合う天井面材受けバー１２の野縁６からの張出部分１２ａに、両側縁をそれぞれ載せることによって天井面材９を支持するものである。この実施形態は、平板状の天井面材受けバー１２のみで天井面材９を支持するから、部品点数が少なく、大幅なコストダウンを図ることができると共に、上記実施形態と同様に、現場での天井施工が簡単で、解体も容易になされる上に、解体後の天井面材９のリユースが可能となる。
【００２２】
図６は、第３の発明に係るリユース可能天井構造の一実施形態を示す。この実施形態は、上記のような固定金物７を用いず、断面が横向きＨ字状を成す天井面材受けバー１４によって天井面材９を支持するものである。この天井面材受けバー１４は、背を向き合って互いにＴ字状を成す上側２本のアングル材１４Ａ，１４Ｂ、および背を向き合って互いに逆Ｔ字状を成す下側２本のアングル材１４Ｃ，１４Ｄの合計４本のアングル材が、それぞれ立フランジ１４Ａａ，１４Ｂａ，１４Ｃａ，１４Ｄａが重なるように横向きＨ字状に組み合わせられ、前記立フランジ１４Ａａ，１４Ｂａ，１４Ｃａ，１４Ｄａの重なり箇所で締結具であるボルト・ナット１５により結合されたものである。この天井面材受けバー１４は、上記と同様の野縁６の下面に沿って配置されて、上フランジ１４Ａｂ，１４Ｂｂが野縁６の下面にタッピングネジ１６によりビス止めされ、隣合う天井面材受けバー１４の上フランジ１４Ａｂ，１４Ｂｂと下フランジ１４Ｃｂ，１４Ｄｂとの間に両側縁が差し込まれて下フランジ１４Ａｃ，１４Ｂｃに天井面材９が支持される。
【００２３】
この実施形態においては、天井面材受けバー１４が４本のアングル材１４Ａ，１４Ｂ，１４Ｃ，１４Ｄによって構成されるから、新たな加工を要することなく、市販のアングル材をそのまま用いることができ、また、部品点数が少なく、材料コストの低減化を図ることができる。現場での天井施工の簡単性、解体の容易性、および解体後の天井面材９のリユースが可能となる点等は、上記実施形態と同様である。
【００２４】
なお、上記各実施形態の締結具１０，１１，１５による締結は、図例のようなボルト・ナットに限らず、リベット等によって行っても良い。また、野縁受け４や野縁６の断面形状は、図示のものに限定されず、その他の形状が採用可能である。さらに、吊りボルト２に野縁受け４を介して野縁６を取付ける構造として、図１，図２においてハンガー３およびクリップ５を用いる例を示したが、これに限らず公知の天井構造を採用することができることは言うまでもない。
【図面の簡単な説明】
【００２５】
【図１】第１の実施形態のリユース可能天井構造の縦断面図である。
【図２】図１におけるII−II線断面図である。
【図３】（Ａ）（Ｂ）は同実施形態における天井面材の取付要領を示す断面図であり、（Ａ）は天井面材受けバーを野縁に取付ける過程を、（Ｂ）は野縁に天井面材受けバーを介して天井面材を取付けた状態をそれぞれ示す。
【図４】同実施形態の変形例を示す縦断面図である。
【図５】他の実施形態の図４と同様部分の縦断面図である。
【図６】さらに他の実施形態の図４と同様部分の縦断面図である。
【符号の説明】
【００２６】
２…吊りボルト
４…野縁受け
６…野縁
７…固定金物
８…天井面材受けバー
８ａ…立片
８Ａ，８Ｂ…アングル材
８Ａａ，８Ｂａ…立てフランジ部分
９…天井面材
１１…ボルト・ナット（締結具）
１２…天井面材受けバー
１２ａ…張出部分
１３…タッピングネジ（固着具）
１４…天井面材受けバー
１４Ａ，１４Ｂ，１４Ｃ，１４Ｄ…アングル材
１４Ａａ，１４Ｂａ，１４Ｃａ，１４Ｄａ…立てフランジ
１４Ａｂ，１４Ｂｂ…上フランジ
１４Ｃｂ，１４Ｄｂ…下フランジ
１５…ボルト・ナット（締結具）
１６…タッピングネジ
【図１】
2007284891.tif 000003
【図２】
2007284891.tif 000004
【図３】
2007284891.tif 000005
【図４】
2007284891.tif 000006
【図５】
2007284891.tif 000007
【図６】
2007284891.tif 000008